(57)【要約】      （修正有）【課題】衝突時において、頭部の上昇前にヘッドレストの上方への移動及び前方への傾斜の状態を、高スピードに達成することで、頭部及び頸部の保護を図り、むち打ち回避、頸部障害回避等を図るアクティブヘッドレスト装置を提供する。【解決手段】シートバックに設けた各手段で構成されており、各手段は、フレームに設けた衝撃で作動する駆動主体装置Ｃと、この駆動主体装置Ｃに連繋したシートバック内を昇降するワイヤと、このワイヤが係止される昇降装置Ｅと、この昇降装置Ｅの昇降体・筒部に連繋したヘッドレストブラケット（ヘッドレスト装置Ｈ）を介してヘッドレストＧの上昇・前傾を図る構成であって、この上昇・前傾が瞬時に行われる。【選択図】図２−１
2008030555.tif 000002
【特許請求の範囲】
【請求項１】
ヘッドレストの上方への移動（上昇）と前方への傾斜（前傾）を司る上昇・前傾機構を備えたアクティブヘッドレスト用のヘッドレスト装置であって、
この上昇・前傾機構を、
車輌のフレーム及び／又は中間部材に設けた昇降装置と、この昇降装置の動きを担持するフレーム及び／又は中間部材に設けた駆動主体装置と、この駆動主体装置に一方を連繋し、その他方を前記昇降装置に連繋するワイヤ、懸架部材等の媒体手段と、この媒体手段の係止を解除するフレーム及び／又は中間部材に設けた係止装置とで構成し、
またこのヘッドレスト装置を、
前記昇降装置に連繋して設けたヘッドレストブラケットと、このヘッドレストブラケットに挿嵌したヘッドレストサポートと、このヘッドレストサポートに遊嵌したヘッドレストステーと、このヘッドレストステーに設けたヘッドレストとで構成し、
前記駆動主体装置の動作で、前記係止装置による媒体手段への係止と、この媒体手段を緊張して前記昇降装置を作動し、この昇降装置の作動で前記ヘッドレストブラケット及びヘッドレストの上昇と前傾を図る構成としたアクティブヘッドレスト用のヘッドレスト装置。
【請求項２】
請求項１に記載のアクティブヘッドレスト用のヘッドレスト装置であって、
このシートバックに設けた昇降装置は、
フレーム及び／又は中間部材に設けた支持体と、この支持体の枢支部に可動自在に枢支した可動体と、この可動体の両端に設けたヘッドレストブラケット支持用の支持腕と、前記支持体間に設けた、この支持体のガイド孔に沿って昇降する昇降体と、この昇降体の昇降及び／又は停止を司る移動体及び係止手段と、この移動体の嵌入を許す前記支持体に設けた誘導体と、前記移動体に設けた媒体手段と、前記昇降体に一体に設けた前記ヘッドレストブラケットを昇降する筒部と、前記誘導体と昇降体に張装固止したスプリングとで構成したアクティブヘッドレスト用のヘッドレスト装置。
【請求項３】
請求項１に記載のアクティブヘッドレスト用のヘッドレスト装置であって、
このシートバックに設けた昇降装置は、
フレーム及び／又は中間部材に設けた支持体と、この支持体の枢支部に可動自在に枢支した可動体と、この可動体の両端に設けたヘッドレストブラケット支持用の支持腕と、前記支持体間に設けた、この支持体のガイド孔に沿って昇降する昇降体と、この昇降体の昇降及び／又は停止を司る前記移動体及び係止手段と、この移動体の嵌入を許す前記支持体に設けた誘導体と、前記移動体に設けた媒体手段と、前記昇降体に一体に設けた前記ヘッドレストブラケットを昇降する筒部と、前記誘導体の凹部と移動体に張装固止した第一スプリングとで構成したアクティブヘッドレスト用のヘッドレスト装置。
【請求項４】
請求項１に記載のアクティブヘッドレスト用のヘッドレスト装置であって、
このシートバックに設けた昇降装置の作動部は、前記支持体に備えた滑車と、この滑車に捲装した前記媒体手段と、この媒体手段を係止した前記移動体と、この移動体が固止される昇降体とする構成としたアクティブヘッドレスト用のヘッドレスト装置。
【請求項５】
請求項１に記載のアクティブヘッドレスト用のヘッドレスト装置であって、
この駆動主体装置は、フレーム及び／又は中間部材に設けた回転体と、この回転体に軸着され、かつフレーム及び／又は中間部材に設けた作動体と、この作動体に係止した第三スプリングと、この回転体に係止される前記媒体手段とする構成としたアクティブヘッドレスト用のヘッドレスト装置。
【請求項６】
請求項３に記載のアクティブヘッドレスト用のヘッドレスト装置であって、
この移動体は、前記誘導体の凹部に嵌入される構成であり、またこの移動体には、衝撃時にロックする鞘管を介して媒体手段を連結する構成とし、この移動体に開設した係止孔に、前記鞘管の外周面に突設した係止突起が嵌合し、またこの鞘管に設けた媒体手段との間に衝撃作動手段を付設する構成としたアクティブヘッドレスト用のヘッドレスト装置。
【請求項７】
請求項３に記載のアクティブヘッドレスト用のヘッドレスト装置であって、
この移動体は、移動管と、この移動管に設けた移動連結体で構成し、この移動管の内周面に刻設した螺子に前記移動連結体の外周面に刻設した螺子を噛合する構成としたアクティブヘッドレスト用のヘッドレスト装置。
【請求項８】
請求項３に記載のアクティブヘッドレスト用のヘッドレスト装置であって、
この移動体は、移動管と、この移動管に設けた移動連結体で構成し、この移動管と、前記移動連結体との間にチャンバーを形成し、このチャンバーに空気の出入りを許す逆止弁及び／又は孔を開設する構成としたアクティブヘッドレスト用のヘッドレスト装置。
【請求項９】
請求項３に記載のアクティブヘッドレスト用のヘッドレスト装置であって、
この昇降体の係止手段は、この昇降体に対する係止と、この係止解除で行う構成、又は前記媒体手段に対する係止と、この係止解除、或は前記作動体に対する係止と、この係止解除で行う構成としたアクティブヘッドレスト用のヘッドレスト装置。
【請求項１０】
請求項４に記載のアクティブヘッドレスト用のヘッドレスト装置であって、
その媒体手段の中間部位に、この媒体手段の長さ調整を図る調整手段を介設する構成としたアクティブヘッドレスト用のヘッドレスト装置。
【発明の詳細な説明】
【技術分野】
【０００１】
本発明は、人を衝撃時（衝突時）に保護するアクティブヘッドレスト用のヘッドレスト装置（アクティブヘッドレスト）に関し、この衝突時において、頭部の上昇（頸部の伸びる）前に、この頭部（頸部）を保護するために、このヘッドレストの上方への移動（上昇）及び前方への傾斜（前傾）の状態を、高スピード（かつ瞬時）に達成することで、頭部及び頸部の保護を図る。これによって、むち打ち回避、頸部傷害回避等を図るアクティブヘッドレスト用のヘッドレスト装置に関する。
【背景技術】
【０００２】
周知の如く、自動車（車輌）に求められる質の進化は、エミッション→馬力→燃費→安全→静寂→乗り心地の向上を順次達成することで、搭乗者等の人々の各種の要望に応えている。その中において、安全性の重要性等からヘッドレストの機能の向上が要望されており、例えば、アクティブヘッドレストの実用化と、この実用化を後押しする発明が挙げられる。そして、このヘッドレストに要望されているのが、ヘッドレストの上昇及び前傾の高スピード、その的確な動きを図ること、又はガタ音の発生を抑制すること、更には事故の多発及び／又は衝突の多様化等の見地から、このような緊急時にヘッドレストが確実に役目を果たすこと等が必須の要件とされている。
【０００３】
しかし、このヘッドレストは、搭乗者の要望に応え、不快感をなくすために、人の頭部との接触をなくし、通常は、頭（後頭部）から略３０ｍｍ〜５０ｍｍ離れるように設置し、搭乗者の希望に添った状態である。ところが、衝撃及び／又は衝突時（衝突時とする）の緊急の状態では、このようにヘッドレストが離れている故に、思わぬ問題を引起こしているので、シートとの関係を含めて、一例を説明する。
【０００４】
従来のシートは、安全及び／又は快適な運転を図る為に、背中はシートバックに接触しているため、背中は、衝撃時において、この構造のシートで保護される。しかし、前述のヘッドレスト装置では、頭がヘッドレストから離れていることから保護されない。何故ならば、頭部は、この衝突時に頭がベクトル的に上方に持っていかれて、頸部が伸ばされた状態となって、例えば、むち打ちの如く、軽い損傷等から、頸部傷害及び／又は切断の如く、極めて重い状態が発生し、人に大きなダメージを与える。
【０００５】
以上のことから、昨今、衝突時に発生するむち打ち及び／又は頸部傷害回避（頸部及び／又は頭部の保護）等を図るために種々の発明が提案されている。その一例として、以下、文献が挙げられる。しかし、所定距離を瞬時に上昇し、かつ前傾し、頸部の保護が図れるアクティブヘッドレスト用のヘッドレスト装置としては、必ずしも充分とは考えられない。
【０００６】
先ず、文献（１）は、特開２００５−２９６２６６の「車両用シート」が挙げられる。その概要は、シートのフレームに設けた拡縮可能なサイドフレームと、このサイドフレーム間に設けた前傾機構を備えたアクチュエータと、このアクチュエータに設けたヘッドレスト支持部に昇降可能なヘッドレストステーで構成し、前記前傾機構でヘッドレストの前傾を、またヘッドレストステーの上昇でヘッドレストの上昇を可能とする。このヘッドレストの上昇及び前傾を介して追突時（衝突時）に搭乗者の上半身の後方移動による頸部及び／又は頭部の保護と、頸部及び／又は頭部の上昇移動による頸部及び／又は頭部の保護とを図ること等を意図する。
【０００７】
次に、文献（２）は、特開２００１−１６３０９９の「車両用シート構造」が挙げられる。その概要は、ヘッドレストステーを支持するヘッドレストホルダーを、フレームに設けたガイド手段を介して前傾及び上昇可能とし、このガイド手段を規制スプリングで復帰可能とするとともに、このガイド手段の前傾及び上昇を、シートバック内に配設した布ベルト等の受動手段で規制する構成であり、前記文献（１）と同じような頸部及び／又は頭部の保護を図ることを意図する。
【０００８】
また、文献（３）は、特開２０００−２１９０６９の「自動車用シート」が挙げられる。その概要は、シートバックフレームにそれぞれに設けた上部パイプ、及びこの上部パイプに併設され、かつこれに添接固定されるヘッドレストステーが挿脱可能なパイプフレームと、このパイプフレームの前傾を図るヘッドレスト用の支持フレームと、この支持フレーム及びヘッドレストの前傾を図るフレームに設けた受圧部とで構成する。従って、この受圧部の押圧で、支持フレーム及びパイプフレームを可動し、シートバックを上昇かつ前傾する。この一連の動作で衝突時に搭乗者の上半身の後方移動による受圧部の移動量を確保し、ヘッドレストの前方への移動距離の拡大を図ること、又は前記一連の動作を、簡単な構成で達成すること等を意図する。
【０００９】
さらに、文献（４）は、特開２０００−２１１４１０の「自動車用シート」が挙げられる。その概要は、ヘッドレストのヘッドレスト支持フレームを、シートバックフレームに固着したレバー・リンク機構の上端部に設ける構成であって、このレバー・リンク機構を、衝撃時の荷重を受けて移動する受圧部に連動して上下揺動するレバーと、このレバーと前記ヘッドレスト支持フレーム間に設けた第１リンクと、この第１リンクとシートバックフレーム間に設けた第２リンクとで構成することを特徴とし、受圧部の移動量の増大と、ヘッドレスト支持フレーム及びヘッドレストを斜め前方上方へ移動し、頭の上昇に基づく弊害回避（頸部及び／又は頭部の保護）を意図する。
【００１０】
【特許文献１】特開２００５−２９６２６６
【特許文献２】特開２００１−１６３０９９
【特許文献３】特開２０００−２１９０６９
【特許文献４】特開２０００−２１１４１０
【発明の開示】
【発明が解決しようとする課題】
【００１１】
文献（１）は、ヘッドレストの上昇及び前傾を介して衝突時における頸部及び／又は頭部の保護を図ること等を意図する。しかし、この文献（１）では、アクチュエータを採用する構成であって、かつこのアクチュエータに前傾機構を設ける構成である。従って、構造が複雑となること、又は衝突時の緊急の際に、正確に作動しない可能性があること等が考えられ、改良の余地がある。またシートバックの表皮の持上げを伴うことから、アクティブヘッドレストの上昇及び／又は前傾に抵抗が発生する可能性がある。殊に、高級車の革張り、合成皮革等の如く、強靭及び／又は伸縮性が少ない表皮の場合には問題が発生する可能性がある。
【００１２】
また、文献（２）は、ヘッドレストの上昇及び前傾を介して衝突時における頸部及び／又は頭部の保護を図ること等を意図する。しかし、この文献（２）では、布ベルト等の受動手段で、ヘッドレストステーを上昇する構成である。従って、上昇の移動距離が不足することが考えられ、例えば、頭部の上昇に対する配慮が欠けること、又は衝突時の頭部の動きを総合的に保護するには、幾分改良すべき点が考えられる。また表皮の問題は、文献（１）と略同様である。
【００１３】
そして、文献（３）、（４）は、ヘッドレストの前方側への上昇を図り、衝突時の頭の動きを総合的に保護することを意図する。しかし、この構成では、ヘッドレストの上昇及び前傾を積極的に行い、衝突時の頭の動きを総合的に保護するには、上昇距離及び上昇スピードにおいて、改良の余地が考えられる。また衝突時の頭の動きや、応答性のよい上昇及び／又は降下を確保すること等を考慮した場合には、必ずしも充分とは考えられず、改良の余地が考えられる。また表皮の問題は、文献（１）と略同様である。
【００１４】
しかしながら、搭乗者の体型、又は着座姿勢等に関係なく、衝突時の頭の動きを総合的に保護することを意図し、的確に対応するアクティブヘッドレストは皆無である。また従来の改良された、各種のアクティブヘッドレストの構成で、搭乗者の安全性と、安心性の確保、又は走行・運転の快適性の確保等を図る発明及び／又は製品は見当たらないのが現況である。
【００１５】
上記に鑑み、本発明は、下記の「１」〜「６」の特徴が発揮できるアクティブヘッドレスト用のヘッドレスト装置を提供することを意図する。
【００１６】
「１」  シートバックに埋設し、このシートバックのフレーム及び／又は中間部材に設けた上昇及び前傾を司る昇降装置と、駆動主体装置で構成するアクティブヘッドレストであり、この衝突時において、頭部の上昇及び／又は頸部の伸びる前に、この頭部（頸部）を保護するヘッドレストを、高スピードで上昇及び前傾可能とする構成（衝突後、頭部が上昇する前に、ヘッドレストが所定の上昇及び前傾状態にある構成、以下同じ）としてむち打ち回避、頸部傷害回避等が図れるアクティブヘッドレスト用のヘッドレスト装置の提案と、
「２」  車輌が部分的に破損してもヘッドレストの機能を保持すること、また上昇したヘッドレストの降下を可能とし、ヘッドレストの再利用を図ること、或は応答性のよい上昇・降下及び前傾を確保でき、かつ実用に供し得るアクティブヘッドレスト用のヘッドレスト装置の提案と、
「３」  駆動主体装置と昇降装置とを媒体手段（一本又は望ましくは数本のワイヤ）を介して連繋し、この駆動主体装置の指令で昇降装置を作用し、この昇降装置の作用でヘッドレストを上昇及び前傾する構成とし、瞬時に（高スピードで）、この上昇及び前傾が可能なアクティブヘッドレスト用のヘッドレスト装置の提案と、
「４」  搭乗者の体型（身長の高低、体重の軽重、肥満度の高低等）、又は着座姿勢等に関係なく（全ての条件において）、的確に対応して頭部等を保護できる構成とし、安全性と、安心性の確保を図ること、又は走行・運転の快適性の確保等が図れるアクティブヘッドレスト用のヘッドレスト装置の提案と、
「５」  昇降装置において、ヘッドレストの前傾を、支持体、可動体及び支持腕で構成し、またヘッドレストの上昇を、誘導体、昇降体及び移動体、並びに筒部で構成し、その一部を共用する構成とすることで、この前傾及び上昇の動作を、確実かつ誤動作なく遂行できるアクティブヘッドレスト用のヘッドレスト装置の提案と、
「６」  シートバックの表皮に関係なく（表皮を引張することなく）、アクティブヘッドレストの上昇及び／又は前傾ができること、またこの表皮の持上げに起因する抵抗をなくし得るアクティブヘッドレスト用のヘッドレスト装置の提案と、を意図する。
【課題を解決するための手段】
【００１７】
請求項１の発明は、前述の「１」〜「６」に記載の目的を達成することを意図する。
【００１８】
請求項１は、ヘッドレストの上方への移動（上昇）と前方への傾斜（前傾）を司る上昇・前傾機構を備えたアクティブヘッドレスト用のヘッドレスト装置であって、
この上昇・前傾機構を、
車輌のフレーム及び／又は中間部材に設けた昇降装置と、この昇降装置の動きを担持するフレーム及び／又は中間部材に設けた駆動主体装置と、この駆動主体装置に一方を連繋し、その他方を前記昇降装置に連繋するワイヤ、懸架部材等の媒体手段と、この媒体手段の係止を解除するフレーム及び／又は中間部材に設けた係止装置とで構成し、
またこのヘッドレスト装置を、
前記昇降装置に連繋して設けたヘッドレストブラケットと、このヘッドレストブラケットに挿嵌したヘッドレストサポートと、このヘッドレストサポートに遊嵌したヘッドレストステーと、このヘッドレストステーに設けたヘッドレストとで構成し、
前記駆動主体装置の動作で、前記係止装置による媒体手段への係止と、この媒体手段を緊張して前記昇降装置を作動し、この昇降装置の作動で前記ヘッドレストブラケット及びヘッドレストの上昇と前傾を図る構成としたアクティブヘッドレスト用のヘッドレスト装置である。
【００１９】
請求項２・３の発明は、請求項１の目的を達成すること、この目的を達成するのに最適なアクティブヘッドレスト用のヘッドレスト装置における昇降装置を提供することを意図する。
【００２０】
請求項２は、請求項１に記載のアクティブヘッドレスト用のヘッドレスト装置であって、
このシートバックに設けた昇降装置は、
フレーム及び／又は中間部材に設けた支持体と、この支持体の枢支部に可動自在に枢支した可動体と、この可動体の両端に設けたヘッドレストブラケット支持用の支持腕と、前記支持体間に設けた、この支持体のガイド孔に沿って昇降する昇降体と、この昇降体の昇降及び／又は停止を司る移動体及び係止手段と、この移動体の嵌入を許す前記支持体に設けた誘導体と、前記移動体に設けた媒体手段と、前記昇降体に一体に設けた前記ヘッドレストブラケットを昇降する筒部と、前記誘導体と昇降体に張装固止したスプリングとで構成したアクティブヘッドレスト用のヘッドレスト装置である。
【００２１】
請求項３は、請求項１に記載のアクティブヘッドレスト用のヘッドレスト装置であって、
このシートバックに設けた昇降装置は、
フレーム及び／又は中間部材に設けた支持体と、この支持体の枢支部に可動自在に枢支した可動体と、この可動体の両端に設けたヘッドレストブラケット支持用の支持腕と、前記支持体間に設けた、この支持体のガイド孔に沿って昇降する昇降体と、この昇降体の昇降及び／又は停止を司る前記移動体及び係止手段と、この移動体の嵌入を許す前記支持体に設けた誘導体と、前記移動体に設けた媒体手段と、前記昇降体に一体に設けた前記ヘッドレストブラケットを昇降する筒部と、前記誘導体の凹部と移動体に張装固止した第一スプリングとで構成したアクティブヘッドレスト用のヘッドレスト装置である。
【００２２】
請求項４の発明は、請求項１の目的を達成すること、この目的を達成するのに最適なアクティブヘッドレスト用のヘッドレスト装置における昇降装置の作動部を提供することを意図する。
【００２３】
請求項４は、請求項１に記載のアクティブヘッドレスト用のヘッドレスト装置であって、
このシートバックに設けた昇降装置の作動部は、前記支持体に備えた滑車と、この滑車に捲装した前記媒体手段と、この媒体手段を係止した前記移動体と、この移動体が固止される昇降体とする構成としたアクティブヘッドレスト用のヘッドレスト装置である。
【００２４】
請求項５の発明は、請求項１の目的を達成すること、この目的を達成するのに最適なアクティブヘッドレスト用のヘッドレスト装置における駆動主体装置を提供することを意図する。
【００２５】
請求項５は、請求項１に記載のアクティブヘッドレスト用のヘッドレスト装置であって、
この駆動主体装置は、フレーム及び／又は中間部材に設けた回転体と、この回転体に軸着され、かつフレーム及び／又は中間部材に設けた作動体と、この作動体に係止した第三スプリングと、この回転体に係止される前記媒体手段とする構成としたアクティブヘッドレスト用のヘッドレスト装置である。
【００２６】
請求項６の発明は、請求項１の目的を達成すること、この目的を達成するのに最適な移動体と、この移動体に設けた衝撃作動手段を備えたアクティブヘッドレスト用のヘッドレスト装置の構造を提供することを意図する。
【００２７】
請求項６は、請求項３に記載のアクティブヘッドレスト用のヘッドレスト装置であって、
この移動体は、前記誘導体の凹部に嵌入される構成であり、またこの移動体には、衝撃時にロックする鞘管を介して媒体手段を連結する構成とし、この移動体に開設した係止孔に、前記鞘管の外周面に突設した係止突起が嵌合し、またこの鞘管に設けた媒体手段との間に衝撃作動手段を付設する構成としたアクティブヘッドレスト用のヘッドレスト装置である。
【００２８】
請求項７・８の発明は、請求項３の目的を達成すること、この目的を達成するのに最適なアクティブヘッドレスト用のヘッドレスト装置における移動体を提供することを意図する。
【００２９】
請求項７は、請求項３に記載のアクティブヘッドレスト用のヘッドレスト装置であって、
この移動体は、移動管と、この移動管に設けた移動連結体で構成し、この移動管の内周面に刻設した螺子に前記移動連結体の外周面に刻設した螺子を噛合する構成としたアクティブヘッドレスト用のヘッドレスト装置である。
【００３０】
また請求項８は、請求項３に記載のアクティブヘッドレスト用のヘッドレスト装置であって、
この移動体は、移動管と、この移動管に設けた移動連結体で構成し、この移動管と、前記移動連結体との間にチャンバーを形成し、このチャンバーに空気の出入りを許す逆止弁及び／又は孔を開設する構成としたアクティブヘッドレスト用のヘッドレスト装置である。
【００３１】
請求項９の発明は、請求項３の目的を達成すること、この目的を達成するのに最適なアクティブヘッドレスト用のヘッドレスト装置における昇降装置の係止手段を提供することを意図する。
【００３２】
請求項９は、請求項３に記載のアクティブヘッドレスト用のヘッドレスト装置であって、
この昇降体の係止手段は、この昇降体に対する係止と、この係止解除で行う構成、又は前記媒体手段に対する係止と、この係止解除、或は前記作動体に対する係止と、この係止解除で行う構成としたアクティブヘッドレスト用のヘッドレスト装置である。
【００３３】
請求項１０の発明は、請求項４の目的を達成すること、この目的を達成するのに最適なアクティブヘッドレスト用のヘッドレスト装置における媒体手段の長さ調整を図る調整手段を提供することを意図する。
【００３４】
請求項１０は、請求項４に記載のアクティブヘッドレスト用のヘッドレスト装置であって、
この媒体手段の中間部位に、この媒体手段の長さ調整を図る調整手段を介設する構成としたアクティブヘッドレスト用のヘッドレスト装置である。
【発明の効果】
【００３５】
請求項１の発明は、ヘッドレストの上方への移動（上昇）と前方への傾斜（前傾）を司る上昇・前傾機構を備えたアクティブヘッドレスト用のヘッドレスト装置であって、
上昇・前傾機構を、
車輌のフレーム及び／又は中間部材に設けた昇降装置と、昇降装置の動きを担持するフレーム及び／又は中間部材に設けた駆動主体装置と、駆動主体装置に一方を連繋し、他方を昇降装置に連繋するワイヤ、懸架部材等の媒体手段と、媒体手段の係止を解除するフレーム及び／又は中間部材に設けた係止装置とで構成し、
またヘッドレスト装置を、
昇降装置に連繋して設けたヘッドレストブラケットと、ヘッドレストブラケットに挿嵌したヘッドレストサポートと、ヘッドレストサポートに遊嵌したヘッドレストステーと、ヘッドレストステーに設けたヘッドレストとで構成し、
駆動主体装置の動作で、係止装置による媒体手段への係止と、媒体手段を緊張して昇降装置を作動し、昇降装置の作動でヘッドレストブラケット及びヘッドレストの上昇と前傾を図る構成としたアクティブヘッドレスト用のヘッドレスト装置である。
【００３６】
従って、請求項１は、次のような特徴を有する。
【００３７】
「１」  シートバックに埋設し、このシートバックのフレームに設けた上昇及び前傾を司る昇降装置と、駆動主体装置で構成するアクティブヘッドレストであり、この衝突時において、頭部の上昇及び／又は頸部の伸びる前に、この頭部（頸部）を保護するヘッドレストを、高スピードで上昇及び前傾可能とする構成（衝突後、頭部が上昇する前に、ヘッドレストが所定の上昇及び前傾状態にある構成、以下同じ）としてむち打ち回避、頸部傷害回避等が図れる。
【００３８】
「２」  車輌が部分的に破損してもヘッドレストの機能を保持すること、また上昇したヘッドレストの降下を可能とし、ヘッドレストの再利用を図ること、或は応答性のよい上昇・降下及び前傾を確保でき、かつ実用に供し得る。
【００３９】
「３」  駆動主体装置と昇降装置とを媒体手段（一本又は望ましくは数本のワイヤ）を介して連繋し、この駆動主体装置の指令で昇降装置を作用し、この昇降装置の作用でヘッドレストを上昇及び前傾する構成とし、瞬時に（高スピードで）、この上昇及び前傾が可能な。
【００４０】
「４」  搭乗者の体型（身長の高低、体重の軽重、肥満度の高低等）、又は着座姿勢等に関係なく（全ての条件において）、的確に対応して頭部等を保護できる構成とし、安全性と、安心性の確保を図ること、又は走行・運転の快適性の確保等が図れる。
【００４１】
「５」  昇降装置において、ヘッドレストの前傾を、支持体、可動体及び支持腕で構成し、またヘッドレストの上昇を、誘導体、昇降体及び移動体、並びに筒部で構成し、その一部を共用する構成とすることで、この前傾及び上昇の動作を、確実かつ誤動作なく遂行できる。また部品の特徴を確実に実行できる。
【００４２】
「６」  シートバックの表皮に関係なく（表皮を引張することなく）、アクティブヘッドレストの上昇及び／又は前傾ができること、またこの表皮の持上げに起因する抵抗をなくし得ること等の特徴がある。
【００４３】
請求項２の発明は、請求項１に記載のアクティブヘッドレスト用のヘッドレスト装置であって、
シートバックに設けた昇降装置は、
フレーム及び／又は中間部材に設けた支持体と、支持体の枢支部に可動自在に枢支した可動体と、可動体の両端に設けたヘッドレストブラケット支持用の支持腕と、支持体間に設けた、支持体のガイド孔に沿って昇降する昇降体と、昇降体の昇降及び／又は停止を司る移動体及び係止手段と、移動体の嵌入を許す支持体に設けた誘導体と、移動体に設けた媒体手段と、昇降体に一体に設けたヘッドレストブラケットを昇降する筒部と、誘導体と昇降体に張装固止したスプリングとで構成したアクティブヘッドレスト用のヘッドレスト装置である。
【００４４】
請求項３の発明は、請求項１に記載のアクティブヘッドレスト用のヘッドレスト装置であって、
シートバックに設けた昇降装置は、
フレーム及び／又は中間部材に設けた支持体と、支持体の枢支部に可動自在に枢支した可動体と、可動体の両端に設けたヘッドレストブラケット支持用の支持腕と、支持体間に設けた、支持体のガイド孔に沿って昇降する昇降体と、昇降体の昇降及び／又は停止を司る移動体及び係止手段と、移動体の嵌入を許す支持体に設けた誘導体と、移動体に設けた媒体手段と、昇降体に一体に設けたヘッドレストブラケットを昇降する筒部と、誘導体の凹部と移動体に張装固止した第一スプリングとで構成したアクティブヘッドレスト用のヘッドレスト装置である。
【００４５】
従って、請求項２・３は、請求項１の目的を達成できること、この目的を達成するのに最適なアクティブヘッドレスト用のヘッドレスト装置における昇降装置を提供できること等の特徴を有する。
【００４６】
請求項４の発明は、請求項１に記載のアクティブヘッドレスト用のヘッドレスト装置であって、
シートバックに設けた昇降装置の作動部は、支持体に備えた滑車と、滑車に捲装した媒体手段と、媒体手段を係止した移動体と、移動体が固止される昇降体とする構成としたアクティブヘッドレスト用のヘッドレスト装置である。
【００４７】
従って、請求項４は、請求項１の目的を達成できること、この目的を達成するのに最適なアクティブヘッドレスト用のヘッドレスト装置における昇降装置の作動部を提供できること等の特徴を有する。
【００４８】
請求項５の発明は、請求項１に記載のアクティブヘッドレスト用のヘッドレスト装置であって、
駆動主体装置は、フレーム及び／又は中間部材に設けた回転体と、回転体に軸着され、かつフレーム及び／又は中間部材に設けた作動体と、作動体に係止した第三スプリングと、回転体に係止される媒体手段とする構成としたアクティブヘッドレスト用のヘッドレスト装置である。
【００４９】
従って、請求項５は、請求項１の目的を達成できること、この目的を達成するのに最適なアクティブヘッドレスト用のヘッドレスト装置における駆動主体装置を提供できること等の特徴を有する。
【００５０】
請求項６の発明は、請求項３に記載のアクティブヘッドレスト用のヘッドレスト装置であって、
移動体は、誘導体の凹部に嵌入される構成であり、また移動体には、衝撃時にロックする鞘管を介して媒体手段を連結する構成とし、移動体に開設した係止孔に、鞘管の外周面に突設した係止突起が嵌合し、また鞘管に設けた媒体手段との間に衝撃作動手段を付設する構成としたアクティブヘッドレスト用のヘッドレスト装置である。
【００５１】
従って、請求項６は、請求項１の目的を達成できること、この目的を達成するのに最適な移動体と、この移動体に設けた衝撃作動手段を備えたアクティブヘッドレスト用のヘッドレスト装置の構造を提供できること等の特徴を有する。
【００５２】
請求項７の発明は、請求項３に記載のアクティブヘッドレスト用のヘッドレスト装置であって、
移動体は、移動管と、移動管に設けた移動連結体で構成し、移動管の内周面に刻設した螺子に移動連結体の外周面に刻設した螺子を噛合する構成としたアクティブヘッドレスト用のヘッドレスト装置である。
【００５３】
また請求項８の発明は、請求項３に記載のアクティブヘッドレスト用のヘッドレスト装置であって、
移動体は、移動管と、移動管に設けた移動連結体で構成し、移動管と、移動連結体との間にチャンバーを形成し、チャンバーに空気の出入りを許す逆止弁及び／又は孔を開設する構成としたアクティブヘッドレスト用のヘッドレスト装置である。
【００５４】
従って、請求項７・８の発明は、請求項１の目的を達成できること、この目的を達成するのに最適なアクティブヘッドレスト用のヘッドレスト装置における移動体を提供できること等の特徴を有する。
【００５５】
請求項９の発明は、請求項３に記載のアクティブヘッドレスト用のヘッドレスト装置であって、
昇降体の係止手段は、昇降体に対する係止と、係止解除で行う構成、又は媒体手段に対する係止と、係止解除、或は作動体に対する係止と、係止解除で行う構成としたアクティブヘッドレスト用のヘッドレスト装置である。
【００５６】
従って、請求項９は、請求項３の目的を達成できること、この目的を達成するのに最適なアクティブヘッドレスト用のヘッドレスト装置における昇降装置の係止手段を提供できること等の特徴を有する。
【００５７】
請求項１０の発明は、請求項４に記載のアクティブヘッドレスト用のヘッドレスト装置であって、
媒体手段の中間部位に、媒体手段の長さ調整を図る調整手段を介設する構成としたアクティブヘッドレスト用のヘッドレスト装置である。
【００５８】
従って、請求項１０は、請求項４の目的を達成できること、この目的を達成するのに最適なアクティブヘッドレスト用のヘッドレスト装置における媒体手段の長さ調整を図る調整手段を提供できること等の特徴を有する。
【発明を実施するための最良の形態】
【００５９】
図面の説明をする。
【００６０】
図１は車輌（自動車）のシートと、シートバックの一例を示した全体縮尺側面図、図２−１は通常時（衝突前）のシートバックと、アクティブヘッドレストとの関係を概念的に示した側面模式図、図２−２は衝突時のシートバックと、アクティブヘッドレストとの関係を概念的に示した側面模式図である。
【００６１】
そして、図３−１は第一の例における通常時のアクティブヘッドレストの昇降装置と、ヘッドレスト装置との関係を示した全体の正面図、図３−２は第一の例における衝突時から上昇したアクティブヘッドレストの昇降装置と、ヘッドレスト装置との関係を示した全体の正面図、図３−３は第一の例における衝突後のアクティブヘッドレストの昇降装置と、ヘッドレスト装置との関係を示した全体の正面図、図４−１は図３−１の側面図、図４−２は図３−３の側面図である。
【００６２】
尚、図５−１は第二の例における通常時のアクティブヘッドレストの昇降装置と、ヘッドレスト装置との関係を示した全体の正面図、図５−２は第二の例における衝突時から上昇したアクティブヘッドレストの昇降装置と、ヘッドレスト装置との関係を示した全体の正面図、図５−３は第二の例における衝突後のアクティブヘッドレストの昇降装置と、ヘッドレスト装置との関係を示した全体の正面図、図６−１は図５−１の側面図、図６−２は図５−３の側面図、図７−１は誘導体と係止手段との関係を説明する拡大断面図、図７−２は昇降体と移動連結体との関係を一体構造とした一例の全体の正面図、図７−３は係止手段の一部壁面と係止スプリングとの関係を示した他の例を示した拡大正面図、図７−４は係止手段の一部壁面と係止スプリングとの関係を示したさらに他の例を示した拡大正面図、図８は図５−１の平面図である。
【００６３】
図９−１は第三の例における通常時のアクティブヘッドレストの昇降装置と、ヘッドレスト装置との関係を示した全体の正面図、図９−２は第三の例における衝突時から上昇したアクティブヘッドレストの昇降装置と、ヘッドレスト装置との関係を示した全体の正面図、図９−３は第三の例における衝突後のアクティブヘッドレストの昇降装置と、ヘッドレスト装置との関係を示した全体の正面図である。
【００６４】
図１０−１は第四の例における通常時のアクティブヘッドレストの昇降装置と、ヘッドレスト装置との関係を示した全体の正面図、図１０−２は第四の例における衝突時から上昇したアクティブヘッドレストの昇降装置と、ヘッドレスト装置との関係を示した全体の正面図、図１０−３は第四の例における衝突後のアクティブヘッドレストの昇降装置と、ヘッドレスト装置との関係を示した全体の正面図、図１０−４は第四の例における通常時で、かつ衝撃作動手段と鞘管、媒体手段が上昇したアクティブヘッドレストの昇降装置と、ヘッドレスト装置との関係を示した全体の正面図、図１０−５は第四の別の例における通常時のアクティブヘッドレストの昇降装置と、ヘッドレスト装置との関係を示した要部の断面図、図１０−６は図１０−５の他の衝撃作動手段の一例を示した要部の断面図、図１０−７−１は鞘管と衝撃作動手段との関係を説明した一例の拡大断面図、図１０−７−２は鞘管と衝撃作動手段との関係を説明した他の一例の拡大断面図、図１０−８−１は移動体の係止孔の一例を示した拡大断面図、図１０−８−２は移動体の係止孔の他の一例を示した拡大断面図、図１０−８−３は移動体の係止孔の別の一例を示した拡大断面図である。
【００６５】
尚、図１１−１は第五の例における通常時のアクティブヘッドレストの移動体と、この移動体に挿入される移動連結体をエアーダンパー方式で制御する構成の一例を示した正面図、図１１−２は第五の例における衝突時から上昇したアクティブヘッドレストの移動体と、この移動体に挿入される移動連結体をエアーダンパー方式で制御する構成の一例を示した正面図、図１１−３は第五の例における衝突後のアクティブヘッドレストの移動体と、この移動体に挿入される移動連結体をエアーダンパー方式で制御する構成の一例を示した正面図、図１１−４は移動体等と逆止弁との関係の他の例を示した拡大断面図、図１１−５は移動体等と逆止弁との関係のさらに他の例を示した拡大断面図である。
【００６６】
図１２−１〜図１２−６は、全図の要部部品を示したものであり、図１２−１は移動体と媒体手段（ワイヤ）との関係を示した拡大断面図、図１２−２は移動体と移動連結体等との関係を示した断面図、図１２−３は可動体と滑車との関係を示した拡大正面図、図１２−４は誘導体と係止手段等との関係を示した拡大断面図、図１２−５は支持腕の樹脂製のベアリングとヘッドレストブラケット等との関係を説明する要部の拡大正面図、図１２−６はヘッドレストブラケットと第二スプリングとの関係を示した拡大平面図である。
【００６７】
図１３−１は通常時の駆動主体装置の一例を拡大して示した側面図、図１３−２は衝突時の駆動主体装置の一例を拡大して示した側面図、図１３−３は図１３−１等に使用する第三スプリングの一例を示した正面図、図１３−４は通常時の駆動主体装置の他の一例を拡大して示した正面図、図１３−５は図１３−４の側面図である。
【００６８】
図１４−１は媒体手段の長さの調整を図る調整手段の一例を拡大して示した断面図、図１４−２は図１４−１の正面図、図１４−３は図１４−１の平面図、図１４−４は図１４−１に示した媒体手段の動作を説明する模式図である。
【００６９】
尚、図１５は図１１−１〜１１−５等に示した移動体と、この移動体に挿入される移動連結体をエアーダンパー方式で制御する構成の組合せの一例を示した構成図である。
【００７０】
本発明の実施例を、各要部に区画して説明する。
【００７１】
「先ず、各実施例に共通な基本的な構成を説明する。」
本発明は、車輌のシートＡを構成するシートバックＡ１に装着されるアクティブヘッドレストＢであって、このアクティブヘッドレストＢは、シートバックＡ１に埋設される金属製のフレーム１と、このフレーム１の下端に設けた駆動主体装置Ｃと、この駆動主体装置Ｃに連繋され、かつフレーム１（シートバックＡ１）の下方から上方に向かって設けられた媒体手段Ｄ（ワイヤ２０とする）と、またこの媒体手段Ｄに連繋され、かつフレーム１の上方に設けた昇降装置Ｅと、この昇降装置Ｅ、駆動主体装置Ｃ、又は媒体手段Ｄの係止（停止等の規制）及び／又は開放を図る係止装置Ｆと、また必要により設けられる係止装置Ｆの動作を司る衝突センサー（図示せず）と、この昇降装置Ｅと、係止装置Ｆ、媒体手段Ｄの作用で、上昇と前傾が可能となるヘッドレストＧを備えるフレーム１に設けたヘッドレスト装置Ｈを主構成要素とする。尚、衝突センサーは、車輌の適所に設ける。
【００７２】
「先ず、昇降装置Ｅの第一の例を、図２−１、図２−２、図３−１〜図４−２に基づいて説明する。」
この昇降装置Ｅは、フレーム１に係止又は挾持するように設けた背面側（シートバックＡ１の後方）に係止部２００、又は緊締する止め具用の孔２０１を供えた支持体２と、この支持体２に対で（シートＡの幅方向において、対峙するように）設けたブラケット２０２、及び係止段部を備えたガイド孔２０３ａを備えた前傾用のガイド片２０３と、このブラケット２０２間に枢軸５を介して可動自在に設けた可動体６と、この可動体６の両端にそれぞれ設けたヘッドレストブラケット（後述する）及び／又は昇降体（後述する）の筒部（後述する）が挿入される対（例えば、図３−１の上下方向）の支持腕７と、前記支持体２に設けた正面視して略門形の誘導体８と、この誘導体８の自由端に設けた段付部８００と、そのセンター部に設けた後述する移動体（後述する移動連結体を兼ねる場合もあり得る）が挿入される円筒８ｂに設けた凹部８０１、並びに凹部８０１の天板部に設けた媒体手段Ｄ（ワイヤ２０）貫通用の孔８０２と、この誘導体８の空間部８ａに挿入される昇降体１０と、この昇降体１０の両端部１０ａより延設した前記支持腕７に挿入される対の筒部１１と、この昇降体１０に立設し、前記凹部８０１に嵌入され、かつこの凹部８０１を昇降する移動体１４と、この凹部８０１の天板部に、またこの移動体１４の略中間位置にそれぞれ係止した（移動体１４の引張用及び／又は復帰用）の第一スプリング１５と、昇降体１０を係止する係止手段１６（係止装置Ｆ）とで構成されている。そして、この一例では、移動体１４の単独による昇降方式とする構成である。尚、この例では、前述した第一スプリング１５を、移動体１４の復帰用とする構成の場合には、ヘッドレストＧの自動復帰が可能となり、また引張用とする構成の場合には、昇降体１０の上昇を補助して、その高スピード化に有効である。
【００７３】
従って、この昇降装置Ｅの動作を説明すると、衝止時において、係止手段１６（この例は図示せず）の昇降体１０への係止解除、又は媒体手段Ｄ（ワイヤ２０）への係止解除で、ワイヤ２０がシートＡの座面に向って引張される（矢印「イ」）。この引張と、第一スプリング１５の復帰を介して昇降体１０が、誘導体８の空間部８ａを上昇（ヘッドレストＧ方向に上昇（矢印「ロ」））し、この昇降体１０の上昇に付随して筒部１１が、支持腕７内を順次上昇する。そして、この筒部１１の上昇は、ヘッドレスト装置Ｈのヘッドレストブラケット（後述する「ヘッドレストサポート」）を押上げ、この結果、ヘッドレストＧが上昇する。
【００７４】
そして、この昇降体１０が上昇することで、当該昇降体１０と、その筒部１１がシートバックＡ１の前方側（車輌の前進方向）に可動する。そして、この筒部１１が可動すると、この筒部１１と連繋するヘッドレストブラケットが可動し、この可動に準じて、支持腕７が枢軸５を支点として可動する（矢印「ハ」）。以上で説明した各工程の可動を介してヘッドレストＧの前傾が確保される構成である。
【００７５】
前述した上昇と前傾が同時進行し、かつ瞬時に行われることから、このヘッドレストＧの上昇と前傾（上昇かつ前傾）が確実に達成されるので、頸部及び／又は頭部に対する衝撃を確実に受け止め、かつこの頸部及び／又は頭部の損傷を回避できる特徴がある。
【００７６】
尚、この例では、係止装置Ｆは、図示しないが、昇降体１０を係止する構成、或いは後述する駆動主体装置Ｃ、媒体手段Ｄを係止する構成等とする。従って、この係止装置Ｆの解除と、この媒体手段Ｄの引張を介して移動体１４が上昇する構成とする。
【００７７】
「次に、昇降装置Ｅの第二の例を、図２−１、図２−２、図５−１〜図８に基づいて説明する。」
この昇降装置Ｅは、フレーム１に係止又は挾持するように設けた背面側（シートバックＡ１の後方）に係止部２００、又は緊締する止め具用の孔２０１を供えた支持体２と、この支持体２に対で（シートＡの幅方向において、対峙するように）設けたブラケット２０２、及び係止段部を備えたガイド孔２０３ａを備えた前傾用のガイド片２０３と、このブラケット２０２間に枢軸５を介して可動自在に設けた可動体６と、この可動体６の両端にそれぞれ設けたヘッドレストブラケット（後述する）及び／又は昇降体１０の筒部１１が挿入される対（例えば、図５−１の上下方向）の支持腕７と、前記支持体２に設けた正面視して略門形の誘導体８と、この誘導体８の自由端に設けた段付部８００と、そのセンター部に設けた移動体１４が挿入される凹部８０１、並びに凹部８０１の天板部に設けた媒体手段Ｄ（ワイヤ２０）貫通用の孔８０２と、この誘導体８の空間部８ａに挿入され昇降体１０と、この昇降体１０の両端部１０ａより延設した前記支持腕７に挿入される対の筒部１１と、この昇降体１０に立設した螺子１３００を備えた移動連結体１３と、この移動連結体１３の螺子１３００に噛合する螺子１４００を有し、かつこの移動連結体１３に被嵌される移動体１４と、この凹部８０１の天板部に、またこの移動体１４の略中間位置にそれぞれ係止した（移動体１４の引張用及び／又は復帰用）の第一スプリング１５と、昇降体１０を係止する係止手段１６（係止装置Ｆ）とで構成されている。そして、この一例では、移動体１４と移動連結体１３を螺着方式とする構成である。尚、移動体１４は凹部８０１に嵌入されており、この凹部８０１を昇降する。尚、この例では、前述した第一スプリング１５を、引張用とする構成の場合には、復帰用の第二スプリング１７との調整を図ることで、昇降体１０の上昇を補助して、その高スピード化に有効である。またこの移動体１４の復帰用とする構成の場合には、ヘッドレストＧの自動復帰が可能となり重宝すること、第二スプリング１７の省略も可能となり有益である。
【００７８】
従って、この昇降装置Ｅの動作を説明すると、衝止時において、係止手段１６の昇降体１０への係止解除、又は後述するワイヤ２０への係止解除で、ワイヤ２０がシートＡの座面に向って引張される（矢印「イ」）。この引張と、第一スプリング１５の復帰を介して昇降体１０が、誘導体８の空間部８ａを上昇（ヘッドレストＧ方向に上昇（矢印「ロ」））し、この昇降体１０の上昇に付随して筒部１１が、支持腕７内を順次上昇する。そして、この筒部１１の上昇は、ヘッドレスト装置Ｈのヘッドレストブラケット（後述する「ヘッドレストサポート」）を押上げ、この結果、ヘッドレストＧが上昇する。
【００７９】
そして、この昇降体１０の上昇に付随して、この昇降体１０の両端部１０ａに設けたガイドピン１８がガイド片２０３の傾斜したガイド孔２０３ａに沿って上昇することで、当該昇降体１０と、その筒部１１がシートバックＡ１の前方側（車輌の前進方向）に可動する。そして、この筒部１１が可動すると、この筒部１１と連繋するヘッドレストブラケットが可動し、この可動に準じて、支持腕７が枢軸５を支点として可動する（矢印「ハ」）。以上で説明した各工程の可動を介してヘッドレストＧの前傾が確保される構成である。
【００８０】
前述した上昇と前傾が同時進行し、かつ瞬時に行われることから、このヘッドレストＧの上昇と前傾が確実に達成されるので、頸部及び／又は頭部に対する衝撃を確実に受け止め、かつこの頸部及び／又は頭部の損傷を回避できる特徴がある。
【００８１】
尚、この例では、係止装置Ｆは、昇降体１０を係止する構成とし、誘導体８の段付部８００に係止可能な段部１０００を備えた対の係止手段１６とする。従って、この昇降体１０の上昇時に、係止スプリング１９を圧縮し、前記段付部８００を競り上がっていく構成とする。そして、この係止手段１６は昇降体１０に出没自在に設けられており、昇降体１０の窪み部との間に設けたスプリング１６００を介して出没する構成であって、この出没を介して昇降体１０と誘導体８の係止又は係止解除を図る構成となっている。図中２１は係止スプリング１９を押圧する押圧スプリングである。尚、係止スプリング１９と昇降体１０の凹部８０１の外周面に設けた止めピンとの間に、この係止スプリング１９の緩衝スペースＪを設けてあり、当該係止スプリング１９の圧縮の容易化を図ることができる。またこのスペースＪは、昇降体１０の上昇時に０となる（図５−３等を参照）。そして、この押圧スプリング２１及び／又は係止スプリング１９を係止手段１６の代替とすることも可能であり、装置の簡略化を図ることもあり得る。そして、この場合は、この係止手段１６は、昇降体１０のガイドとして有効である。また、第一スプリング１５と、押圧スプリング２１及び／又は係止スプリング１９の強弱関係は、移動体１４のストローク、スピード等の動きを考慮して決定する。そして、移動体１４に噛合した移動連結体１３との関係で、昇降体１０のストローク、スピード等の動きを調整することも可能であり、これによって、例えば、ヘッドレストＧの上昇と前傾のストローク、スピード等の動きを調整可能とする。従って、このストローク、スピード等の動きを自在に調整可能であり、有益である。また段付部８００と段部１０００との間に、調整代Ｉが形成されている。尚、この段部１０００と段付部８００とで係止装置Ｆの代替としても利用可能である。また
そして、図７−１は誘導体８の最下端の段付部８００と、昇降体１０の最下端の段部１０００との関係を示しており、組付け時の簡易化、確実性を図る。図７−２は移動連結体１３と昇降体１０との関係を示した断面図であって、一体構造の例であり、安定性と、低コスト化等を図る。また、図７−３、図７−４は係止スプリング１９と昇降体１０の（係止スプリング１９用の挿入凹部の）係止端との関係を示した拡大正面図であって、この係止スプリング１９及び／又は係止端の損傷回避と、確実な係脱とを図る。具体的には、図７−３が係止スプリング１９の例を、また図７−４が係止端の例を示している。
【００８２】
「そして、昇降装置Ｅの第三の例を、図９−１、図９−３に基づいて説明する。」
この例は、基本的には、前記第一の例に準ずるので、その相違点を述べる。この例では、昇降体１０に設けた凸部１００１を、誘導体８の凹部８０１に直接挿入し、この凸部１００１にワイヤ２０のブッシュ２０００を挿入し、このワイヤ２０の引張（矢印「イ」）を介してヘッドレストＧの上昇と前傾を図る。尚、他の構成は、前述の昇降装置Ｅの第二の例に準ずる。
【００８３】
「次に、昇降装置Ｅの第四の例を、図１０−１〜図１０−８−２に基づいて説明する。」
この例は、基本的には、前記第一の例に準ずるので、その相違点を述べる。この例では、この移動体１４は、前記誘導体８の凹部８０１に嵌入される構成であって、この移動体１４には、衝撃時において、この移動体１４と昇降体１０をロック及び／又はアンロックする構成が設けられており、この例では、移動体１４内に内装される略籠型骨格（リブ片）形状を呈する鞘管１４０１と、この鞘管１４０１と係合及び／又は係合開放する衝撃作動手段１４０３とで構成する。
【００８４】
ここで、鞘管１４と衝撃作動手段１４０３との係合（係止）関係を説明すると、移動体１４に開設した係止孔１４ａに、前記鞘管１４０１の外周面に突設した係止突起１４０２が嵌合関係を維持する構成である。そして、この鞘管１４及び／又は衝撃作動手段１４０３には、ワイヤ２０が係止される。
【００８５】
以下、この例における動作を説明すると、例えば、駆動主体装置Ｃが作動しない状態（通常時）においては、図１０−１の如く、鞘管１４０１及び移動体１４が下降限で、鞘管１４０１の係止突起１４０２が、移動体１４に開設した係止孔１４ａに嵌入している通常の状態であって、同様に衝撃作動手段１４０３も通常の状態である。この係止突起１４０２と係止孔１４ａとの関係は、前記衝撃作動手段１４０３が拡張しない限り、この状態を維持するとともに、係止突起１４０２が、係止孔１４ａから脱抜（アンロック）することも可能な構成となっている。また、駆動主体装置Ｃが作動した状態（衝突時）においては、図１０−３の如く、衝撃作動手段１４０３が拡開し、鞘管１４０１の係止突起１４０２が、移動体１４に開設した係止孔１４ａに嵌入し、この鞘管１４０１と移動体１４が係合（ロック）された状態となるとともに、ワイヤ２０の引張を介して当該鞘管１４０１及び移動体１４が上昇し、前記ロック状態によって昇降体１０が上昇する。この昇降体１０の上昇は、筒部１１及びヘッドレスト装置ＨのヘッドレストＧの上昇へと繋がり、この上昇がもたらす効果は、前述の各例と同様である。
【００８６】
そして、また、この例では、駆動主体装置Ｃに対しての僅かの押圧で、ワイヤ２０が引張されても（駆動主体装置Ｃへの急激な衝撃が加わらない限り）、この係止突起１４０２が、係止孔１４ａからの脱抜が可能な構成である。従って、図１０−４の如く、衝撃作動手段１４０３が圧縮されて、この圧縮された衝撃作動手段１４０３及び鞘管１４０１が上昇できる特徴がある。これによって、駆動主体装置Ｃに対しての僅かの押圧でワイヤ２０が引張されても、移動体１４及び／又は昇降体１０、筒部１１の上昇が押えられる（不必要な盲動が防止できる）。従って、駆動主体装置Ｃへの急激な衝撃以外では、ヘッドレストＧの上昇がコントロールされて、このヘッドレストＧの不必要な上下動の防止と、搭乗者の違和感を防止できること等の特徴がある。
【００８７】
尚、図１０−５は衝撃作動手段１４０３及び／又は鞘管１４０１の他の一例を示しており、この一例では、鞘管１４０１に衝撃作動手段１４０３を一体成形する構造を示している。また図１０−６は図１０−５の他の一例を示しており、衝撃作動手段１４０３の下端に膨出部を形成し、強度の向上と、磨耗防止を図ること等を意図する。
【００８８】
また図１０−７−１は、鞘管１４０１と、駆動主体装置Ｃとの関係を説明した断面図であって、鞘管１４０１に係止突起１４０２を形成するに際し、対のスリットを形成し、このスリット間に帯体に形成し、この帯体に係止突起１４０２を形成する構成とし、この係止突起１４０２に可撓性を確保することを意図する。さらに図１０−７−２は、衝撃作動手段１４０３のリブ片を膨出して、可撓性の係止突起１４０２を形成する一例を示した構成であり、場合により、簡略化、低コスト化等を目的にし、鞘管１４０１を省略することを意図する。
【００８９】
尚、図１０−８−１〜図１０−８−３は移動体１４の係止孔１４ａの各例を示した拡大断面図であり、成形の容易性と、ロック、アンロックの容易化等を意図する。また１４０４は、鞘管１４０１の戻りを図る復帰用スプリングを示している。
【００９０】
「さらに、昇降装置Ｅの第五の例を、図１１−１〜図１１−５、図１４に基づいて説明する。」
この例は、基本的には、前記第二の例に準ずるので、その相違点を述べる。この例では、移動体１４と移動連結体１３をエアーダンパー方式とする構成であって、移動体１４と移動連結体１３との間に密封式のチャンバー２２を形成し、このチャンバー２２への空気の調整を介して当該移動体１４の昇降を図る。例えば、移動体１４に設けた孔２３を介してチャンバー２２への空気の調整をすること、又は逆止弁２５を介してチャンバー２２への空気の微調整をすること等の構成がある。これらの構成を単独、又は併用し、移動体１４のストローク、スピード等の動きを自在に調整可能であり、有益である。そして、この調整で、ヘッドレストＧの上昇と前傾のストローク、スピード等の動きを調整可能とする。また図１１−５は逆止弁２５を移動連結体１３に設けた一例の拡大断面図である。尚、図１４は孔２３と逆止弁２５との組合せ関係を示した図である。そして、他の構成は、前述の昇降装置Ｅの第二の例に準ずる。図中１３０１は移動連結体１３の弁体に設けたオーリングを示している。
【００９１】
「昇降装置Ｅの構成の詳細と、他の例を、図１２−１〜図１２−４に基づいて説明する。」
図１２−１は、ワイヤ２０のブッシュ２０００が回転することを想定し、易滑性部材の一例を装着した拡大断面図を示している。また図１２−２は、ワイヤ２０のブッシュ２０００が回転することを想定し、ピンポイントの構成の一例を示した拡大断面図を示している。また図１２−３は、可動体と滑車との関係を示した拡大正面図、図１２−４は、係止手段１６と係止スプリング１９との関係を示した拡大断面図を示している。
【００９２】
「次に、係止装置Ｆを、図５−１〜図８、図９−１〜図９−３と、図１２−１〜図１２−３と、図１３−１、図１３−５に基づいて説明する。」
この例における係止装置Ｆで、図５−１〜図８、図９−１〜図９−３と、図１２−１〜図１２−３に示した一例は、前述した係止手段１６の構成である。また図１２−１に示した他の例は、コントローラ３０と、アクチュエータ３１とを介して後述する第三スプリングを規制する構成であり、衝撃時に、このコントローラ３０の指令で、アクチュエータ３１を作動し、第三スプリングへの規制を解除し、矢印「ニ」の方向への移動を可能とする構成である。また図１２−５は、原則として、図１２−１の例に準ずる。
【００９３】
「駆動主体装置Ｃを説明する。」
この例における駆動主体装置Ｃは、図１３−１〜図１３−５に示した一例がある。
【００９４】
先ず、図１３−１〜図１３−３の例ではフレーム１及び／又は中間部材１００（フレーム１とする）に枢軸３５を介して枢支した作動体３６と、この作動体３６の基端のピン３７が祐度を持って挿入される凹部３８ａを有し、かつフレーム１に枢軸３８を介して枢支した略勾玉形状の回転体３９と、この回転体３９の基端部にワイヤ２０が係止されるピン４０と、前記作動体３６に連繋可能に設けられるフレーム１に支持した第三スプリング４１とで構成されている。そして、この第三スプリング４１は、フレーム１に枢支されている。この例の動作を説明すると、衝突時に第三スプリング４１が矢印「ニ」の方向に押圧されると、これに準じて作動体３６が枢軸３５を支点として回転する。この回転を介してピン３７が回転し、回転体３９が枢軸３８を支点として回転する。そして、この回転体３９の回転を介してワイヤ２０を、前述の如く、矢印「イ」方向に引張する。この矢印「イ」方向への引張を介してヘッドレストＧの上昇と前傾を図る。尚、図示しないが、作動体３６の復帰手段を付設することもあり得る。
【００９５】
次に図１３−４、図１３−５の例では、フレーム１に枢軸３５を介して設けた作動体３６と、この枢軸３５に固止したカム４３と、このカム４３に枢支したリンク４４と、そして、その中心を、このリンク４４に枢支し、かつその支点を、フレーム１に枢軸３８００を介して枢支した回転体３９００と、前記作動体３６に連繋可能に設けられるフレーム１に支持した第三スプリング４１とで構成されている。そして、この動作を説明すると、前述の如く、衝突時に第三スプリング４１が矢印「ニ」の方向に押圧されると、これに準じて作動体３６が枢軸３５を支点として回転する。この回転を介してカム４３が回転し、リンク４４を引張する。この引張で回転体３９００が枢軸３８００を支点として回転する。そして、この回転体３９００の回転を介してワイヤ２０を、前述の如く、矢印「イ」方向に引張する。この矢印「イ」方向への引張を介してヘッドレストＧの上昇と前傾を図る。他の構成は前述の例に準ずる。
【００９６】
「次に、ヘッドレスト装置Ｈを、図１〜図１２−１、図１２−５、図１２−６に基づいて説明する。」
この構成は、昇降装置Ｅの昇降体１０の筒部１１に、その下端を連繋し、かつその一部を支持腕７に易滑性を備えたベアリング５０（このベアリング５０は、上昇時の筒部１１のガイドとなる）を介して昇降自在に設けたヘッドレストブラケット５１と、このヘッドレストブラケット５１に挿入したヘッドレストサポート５２と、このヘッドレストサポート５２に設けたヘッドレストステー５３と、このヘッドレストステー５３に設けたヘッドレストＧで構成し、このヘッドレストサポート５２及び／又はヘッドレストＧは汎用製品を採用し、部品の共通化及び／又はモジュール化を図る。そして、このヘッドレストブラケット５１は、その下降時において、少なくとも支持腕７の上下に亘る長さを備えることが、ヘッドレストＧの安定性と、可動性に有効である。図中１７は支持腕７とヘッドレストブラケット５１の係止片との間に固止した第二スプリングであって、この第二スプリング１７は、ヘッドレストブラケット５１を支持し、かつヘッドレストブラケット５１の復帰を図ることができる。尚、ベアリング５０は、図１２−５に示すように、可撓性を備えた下片５０００を備えており、ヘッドレストブラケット５１及び／又は筒部１１を弾性的に支持し、かつこのヘッドレストブラケット５１等の可動性と、密着性とを確保できる構成である。そして、このヘッドレストブラケット５１との間に隙間を有し、また下片５０００はフリーとなっている。
【００９７】
その動作は、前述の如く、昇降装置Ｅの昇降体１０、筒部１１の上昇で、このヘッドレストブラケット５１が支持腕７をガイドとして押上げられることで、上昇し、例えば、図３−２の状態となる。この上昇の状態の詳細は、前述の昇降装置Ｅで説明した通りであって、このヘッドレストＧの上昇と前傾が確実に達成される。そして、その効果も前述の通りである。
【００９８】
尚、ヘッドレストＧの降下は、この例では、第二スプリング１７が上昇時に張装されることを利用し、このヘッドレストＧの上昇と前傾が所定の時間経過後に、復帰することを利用し、自動的（例えば、ガイド孔２０３ａの係止段部）又は物理的（例えば、ヘッドレストステー５３を少なくとも二本の指Ｌで挟持し、ヘッドレストＧの押圧する操作）に行われる構成である。
【００９９】
また図１２−６は、第二スプリング１７とヘッドレストブラケット５１との関係を示した拡大平面図であり、この第二スプリング１７の上端をヘッドレストブラケット５１に係止する手段の一例であり、その下端をベアリング５０に係止する構成である。
【０１００】
「そして、調整手段Ｋを、図１４−１〜図１４−３に基づいて説明する。」
この調整手段Ｋは、ターンパックル方式であって、嵌合せ構造の伸縮管６０、６１間に、螺軸機構の調整杆６２と、スプリング６３を介設し、この伸縮管６０、６１にそれぞれ対の滑車６４、６５を軸支した構成であり、この滑車６４、６５間にワイヤ２０をダブルで捲装する。従って、この対の伸縮管６０、６１の伸張及び／又は圧縮を介してワイヤ２０の長さを調整する構成である。尚、スプリング６３は、この伸縮管６０、６１に伸縮性を付与すること、又はワイヤ２０の弛緩を回避すること等に有効である。
【図面の簡単な説明】
【０１０１】
【図１】図１は車輌（自動車）のシートと、シートバックの一例を示した全体縮尺側面図
【図２−１】図２−１は通常時（衝突前）のシートバックと、アクティブヘッドレストとの関係を概念的に示した側面模式図
【図２−２】図２−２は衝突時のシートバックと、アクティブヘッドレストとの関係を概念的に示した側面模式図
【図３−１】図３−１は第一の例における通常時のアクティブヘッドレストの昇降装置と、ヘッドレスト装置との関係を示した全体の正面図
【図３−２】図３−２は第一の例における衝突時から上昇したアクティブヘッドレストの昇降装置と、ヘッドレスト装置との関係を示した全体の正面図
【図３−３】図３−３は第一の例における衝突後のアクティブヘッドレストの昇降装置と、ヘッドレスト装置との関係を示した全体の正面図
【図４−１】図４−１は図３−１の側面図
【図４−２】図４−２は図３−３の側面図
【図５−１】図５−１は第二の例における通常時のアクティブヘッドレストの昇降装置と、ヘッドレスト装置との関係を示した全体の正面図
【図５−２】図５−２は第二の例における衝突時から上昇したアクティブヘッドレストの昇降装置と、ヘッドレスト装置との関係を示した全体の正面図
【図５−３】図５−３は第二の例における衝突後のアクティブヘッドレストの昇降装置と、ヘッドレスト装置との関係を示した全体の正面図
【図６−１】図６−１は図５−１の側面図
【図６−２】図６−２は図５−３の側面図
【図７−１】図７−１は誘導体と係止手段との関係を説明する拡大断面図
【図７−２】図７−２は昇降体と移動連結体との関係を一体構造とした一例の断面図
【図７−３】図７−３は係止手段の一部壁面と係止スプリングとの関係を示した他の例を示した拡大正面図
【図７−４】図７−４は係止手段の一部壁面と係止スプリングとの関係を示したさらに他の例を示した拡大正面図
【図８】図８は図５−１の平面図
【図９−１】図９−１は第三の例における通常時のアクティブヘッドレストの昇降装置と、ヘッドレスト装置との関係を示した全体の正面図
【図９−２】図９−２は第三の例における衝突時から上昇したアクティブヘッドレストの昇降装置と、ヘッドレスト装置との関係を示した全体の正面図
【図９−３】図９−３は第三の例における衝突後のアクティブヘッドレストの昇降装置と、ヘッドレスト装置との関係を示した全体の正面図
【図１０−１】図１０−１は第四の例における通常時のアクティブヘッドレストの昇降装置と、ヘッドレスト装置との関係を示した全体の正面図
【図１０−２】図１０−２は第四の例における衝突時から上昇したアクティブヘッドレストの昇降装置と、ヘッドレスト装置との関係を示した全体の正面図
【図１０−３】図１０−３は第四の例における衝突後のアクティブヘッドレストの昇降装置と、ヘッドレスト装置との関係を示した全体の正面図
【図１０−４】図１０−４は第四の例における通常時で、かつ衝撃作動手段と鞘管、媒体手段が上昇したアクティブヘッドレストの昇降装置と、ヘッドレスト装置との関係を示した全体の正面図
【図１０−５】第１０−５は第四の他の例における通常時のアクティブヘッドレストの昇降装置と、ヘッドレスト装置との関係を示した要部の断面図
【図１０−６】図１０−６は図１０−５の他の衝撃作動手段の一例を示した要部の断面図
【図１０−７−１】図１０−７−１は鞘管と衝撃作動手段との関係を説明した一例の拡大断面図
【図１０−７−２】図１０−７−２は鞘管と衝撃作動手段との関係を説明した他の一例の拡大断面図
【図１０−８−１】図１０−８−１は移動体の係止孔の一例を示した拡大断面図
【図１０−８−２】図１０−８−２は移動体の係止孔の他の一例を示した拡大断面図
【図１０−８−３】図１０−８−３は移動体の係止孔の別の一例を示した拡大断面図
【図１１−１】図１１−１は第五の例における通常時のアクティブヘッドレストの移動体と、この移動体に挿入される移動連結体をエアーダンパー方式で制御する構成の一例を示した正面図
【図１１−２】図１１−２は第五の例における衝突時から上昇したアクティブヘッドレストの移動体と、この移動体に挿入される移動連結体をエアーダンパー方式で制御する構成の一例を示した正面図
【図１１−３】図１１−３は第五の例における衝突後のアクティブヘッドレストの移動体と、この移動体に挿入される移動連結体をエアーダンパー方式で制御する構成の一例を示した正面図
【図１１−４】図１１−４は移動体等と逆止弁との関係の他の例を示した拡大断面図
【図１１−５】図１１−５は移動体等と逆止弁との関係のさらに他の例を示した拡大断面図
【図１２−１】図１２−１は移動体と媒体手段（ワイヤ）との関係を示した拡大断面図
【図１２−２】図１２−２は移動体と移動連結体等との関係を示した拡大断面図
【図１２−３】図１２−３は可動体と滑車との関係を示した拡大正面図
【図１２−４】図１２−４は誘導体と係止手段等との関係を示した拡大断面図
【図１２−５】図１２−５は支持腕の樹脂製のベアリングとヘッドレストブラケット等との関係を説明する要部の拡大正面図
【図１２−６】図１２−６はヘッドレストブラケットと第二スプリングとの関係を示した拡大平面図
【図１３−１】図１３−１は通常時の駆動主体装置の一例を拡大して示した側面図
【図１３−２】図１３−２は衝突時の駆動主体装置の一例を拡大して示した側面図
【図１３−３】図１３−３は図１２−１等に使用する第三スプリングの一例を示した正面図
【図１３−４】図１３−４は通常時の駆動主体装置の他の一例を拡大して示した正面図
【図１３−５】図１３−５は図１３−４の側面図
【図１４−１】図１４−１は媒体手段の長さの調整を図る調整手段の一例を拡大して示した断面図
【図１４−２】図１４−２は図１４−１の正面図
【図１４−３】図１４−１に示した媒体手段の動作を説明する模式図
【図１４−４】図１４−４は図１４−１に示した媒体手段の動作を説明する模式図
【図１５】図１５は図１１−１〜１１−５等に示した移動体と、この移動体に挿入される移動連結体をエアーダンパー方式で制御する構成の組合せの一例を示した構成図
【符号の説明】
【０１０２】
Ａ                シート
Ａ１              シートバック
Ｂ                アクティブヘッドレスト
Ｃ                駆動主体装置
Ｄ                媒体手段
Ｅ                昇降装置
Ｆ                係止装置
Ｇ                ヘッドレスト
Ｈ                ヘッドレスト装置
Ｉ                調整代
Ｊ                スペース
Ｋ                調整手段
Ｌ                指
１                フレーム
１００            中間部材
２                支持体
２００            係止部
２０１            孔
２０２            ブラケット
２０３            ガイド片
２０３ａ          ガイド孔
５                枢軸
６                可動体
７                支持腕
８                誘導体
８ａ              空間部
８ｂ              円筒
８００            段付部
８０１            凹部
８０２            孔
１０              昇降体
１０ａ            端部
１０００          段部
１００１          凸部
１１              筒部
１３              移動連結体
１３００          螺子
１３０１          オーリング
１４              移動体
１４ａ            係止孔
１４００          螺子
１４０１          鞘管
１４０２          係止突起
１４０３          衝撃作動手段
１４０４          復帰用スプリング
１５              第一スプリング
１６              係止手段
１６００          スプリング
１７              第二スプリング
１８              ガイドピン
１９              係止スプリング
２０              ワイヤ
２０００          ブッシュ
２１              押圧スプリング
２２              チャンバー
２３              孔
２５              逆止弁
３０              コントローラ
３１              アクチュエータ
３５              枢軸
３６              作動体
３７              ピン
３８              枢軸
３８ａ            凹部
３８００          枢軸
３９              回転体
３９００          回転体
４０              ピン
４１              第三スプリング
４３              カム
４４              リンク
５０              ベアリング
５０００          下片
５１              ヘッドレストブラケット
５２              ヘッドレストサポート
５３              ヘッドレストステー
６０              伸縮管
６１              伸縮管
６２              調整杆
６３              スプリング
６４              滑車
６５              滑車
【図１】
2008030555.tif 000003
【図２−１】
2008030555.tif 000004
【図２−２】
2008030555.tif 000005
【図３−１】
2008030555.tif 000006
【図３−２】
2008030555.tif 000007
【図３−３】
2008030555.tif 000008
【図４−１】
2008030555.tif 000009
【図４−２】
2008030555.tif 000010
【図５−１】
2008030555.tif 000011
【図５−２】
2008030555.tif 000012
【図５−３】
2008030555.tif 000013
【図６−１】
2008030555.tif 000014
【図６−２】
2008030555.tif 000015
【図７−１】
2008030555.tif 000016
【図７−２】
2008030555.tif 000017
【図７−３】
2008030555.tif 000018
【図７−４】
2008030555.tif 000019
【図８】
2008030555.tif 000020
【図９−１】
2008030555.tif 000021
【図９−２】
2008030555.tif 000022
【図９−３】
2008030555.tif 000023
【図１０−１】
2008030555.tif 000024
【図１０−２】
2008030555.tif 000025
【図１０−３】
2008030555.tif 000026
【図１０−４】
2008030555.tif 000027
【図１０−５】
2008030555.tif 000028
【図１０−６】
2008030555.tif 000029
【図１０−７−１】
2008030555.tif 000030
【図１０−７−２】
2008030555.tif 000031
【図１０−８−１】
2008030555.tif 000032
【図１０−８−２】
2008030555.tif 000033
【図１０−８−３】
2008030555.tif 000034
【図１１−１】
2008030555.tif 000035
【図１１−２】
2008030555.tif 000036
【図１１−３】
2008030555.tif 000037
【図１１−４】
2008030555.tif 000038
【図１１−５】
2008030555.tif 000039
【図１２−１】
2008030555.tif 000040
【図１２−２】
2008030555.tif 000041
【図１２−３】
2008030555.tif 000042
【図１２−４】
2008030555.tif 000043
【図１２−５】
2008030555.tif 000044
【図１２−６】
2008030555.tif 000045
【図１３−１】
2008030555.tif 000046
【図１３−２】
2008030555.tif 000047
【図１３−３】
2008030555.tif 000048
【図１３−４】
2008030555.tif 000049
【図１３−５】
2008030555.tif 000050
【図１４−１】
2008030555.tif 000051
【図１４−２】
2008030555.tif 000052
【図１４−３】
2008030555.tif 000053
【図１４−４】
2008030555.tif 000054
【図１５】
2008030555.tif 000055
【手続補正書】
【提出日】平成18年7月27日(2006.7.27)
【手続補正１】
【補正対象書類名】図面
【補正対象項目名】図１０−５
【補正方法】変更
【補正の内容】
【図１０−５】
2008030555.tif 000056
【手続補正２】
【補正対象書類名】図面
【補正対象項目名】図１０−６
【補正方法】変更
【補正の内容】
【図１０−６】
2008030555.tif 000057